【手続補正書】
【提出日】平成17年12月7日(2005.12.7)
【手続補正１】
【補正対象書類名】明細書
【補正対象項目名】全文
【補正方法】変更
【補正の内容】
【書類名】  明細書
【発明の名称】  電気掃除機
【特許請求の範囲】
【請求項１】  電動送風機を内蔵した掃除機本体と、前記掃除機本体より後方に突出するように配置した車輪と、一端が掃除機本体の前方または上方に接続され、他端側に延長管を接続するホースと、前記延長管に接続する床ノズルを備え、前記掃除機本体の後方を床面側に向かせるスタンド状態において、前記掃除機本体に前記延長管が上方を向いた状態で係止する係止装置を有した電気掃除機。
【請求項２】  電動送風機を内蔵した掃除機本体と、前記掃除機本体より後方に突出するように配置した車輪と、一端が掃除機本体の前方または上方に接続され、他端側に延長管を接続するホースと、前記延長管に接続する床ノズルを備え、前記掃除機本体の後方を床面側に向かせるスタンド状態において、前記掃除機本体に前記延長管が上方を向いた状態で保持する保持装置を有し、前記保持装置は、前記延長管に設けた係合部と、前記掃除機本体に設けられ、前記係合部と係合する被係合部から構成し、前記スタンド状態では前記係合部が被係合部に係止することなく着脱自在とし、前記掃除機本体をスタンド状態から傾動させると前記係合部が前記被係合部に係止される電気掃除機。
【請求項３】  ホースの他端には延長管と接続する手元パイプを設け、この手元パイプを、塵埃が流れるパイプ部と、このパイプ部から分岐したハンドル部から構成し、前記ハンドル部を前記パイプ部に対し傾動自在に取り付けた請求項１または２記載の電気掃除機。
【請求項４】  ホースの他端には延長管と接続する手元パイプを設け、この手元パイプを、塵埃が流れるパイプ部と、このパイプ部から分岐したハンドル部から構成し、前記ハンドル部を延長管の中心軸に略平行な軸に対し回転自在に取り付けた請求項１または２記載の電気掃除機。
【請求項５】  床ノズルに電動機で回転する回転ブラシを設けるとともに、スタンド収納状態から掃除機本体を傾動させた状態で床ノズルが床面に接地する構成とした請求項１乃至４のいずれか１項に記載の電気掃除機。
【請求項６】  電動送風機を内蔵した掃除機本体と、前記掃除機本体より後方に突出するように配置した車輪と、一端が掃除機本体の前方または上方に接続され、他端側に延長管を接続するホースと、前記延長管に接続する床ノズルを備え、前記掃除機本体の後方に排気する排気口を設けるとともに、前記掃除機本体の上部に前記延長管を係止する係止装置を有し、前記係止装置は、前記掃除機本体をスタンド状態から傾動させて前記排気口が床面に向いた状態において、前記床ノズルが床面に接地するようにした電気掃除機。
【請求項７】  排気口を掃除機本体の後部に設けた請求項６記載の電気掃除機。
【発明の詳細な説明】
【０００１】
【発明の属する技術分野】
本発明は、スタンド収納状態で本体を転がしながら移動できることを特徴とした使い勝手の良い電気掃除機に関するものである。
【０００２】
【従来の技術】
従来の電気掃除機の構成を図１１を用いて説明する。
【０００３】
図１１は、電気掃除機本体（以下、本体と称す）２０と、一端が接続パイプ２１により本体２０に連結され、他端が手元パイプ２２により延長管２３に連結されたホース２４と、手元パイプ２２から床ノズル２５へと通ずる延長管２３とを備え、前記本体２０後部には移動用の２つの大きな後車輪２６とスタンド収納時の移動用である１つの補助車輪２７を設け、また、本体２０前部にはスタンド収納時に延長管２３を固定する被係合部２８を、そして、延長管２３には本体２０の被係合部２８に係合する係合部２９を設けた構成とする。
【０００４】
上記構成による作用は以下の通りである。
【０００５】
本体２０後部に設けた２つの後車輪２６と１つの補助車輪２７で支えるスタンド収納状態において、前記３つの車輪を利用し、手元パイプ２２を持って本体２０を前方に移動することができる。
【０００６】
【発明が解決しようとする課題】
上記従来の電気掃除機にあっては、スタンド収納状態で本体下部に設けた３つの車輪を利用して移動する構成であるため移動時の操作性が悪く安定しないという問題があった。また、無理に２つの後車輪で移動を試みようとすると床ノズルが床面に接触し、係合部が外れてしまう構成であった。
【０００７】
本発明は、上記のような従来の課題を解決しようというものであって、移動するときには本体後部の２つの車輪を利用する構成とし、操作性，安定性を向上し、使い勝手の良い掃除機を提供することを目的としている。
【０００８】
【課題を解決するための手段】
上記目的を達成するために本発明は、電動送風機を内蔵した掃除機本体と、前記掃除機本体より後方に突出するように配置した車輪と、一端が掃除機本体の前方または上方に接続され、他端側に延長管を接続するホースと、前記延長管に接続する床ノズルを備え、前記掃除機本体の後方を床面側に向かせるスタンド状態において、前記掃除機本体に前記延長管が上方を向いた状態で係止する係止装置を有した構成とすることにより、スタンド収納状態で手元パイプを持っての移動を可能としたものである。
【０００９】
【発明の実施の形態】
本発明の請求項１記載の発明によれば、電動送風機を内蔵した掃除機本体と、前記掃除機本体より後方に突出するように配置した車輪と、一端が掃除機本体の前方または上方に接続され、他端側に延長管を接続するホースと、前記延長管に接続する床ノズルを備え、前記掃除機本体の後方を床面側に向かせるスタンド状態において、前記掃除機本体に前記延長管が上方を向いた状態で係止する係止装置を有した構成とすることにより、スタンド収納状態で手元パイプを持っての移動を可能としたものである。
【００１０】
本発明の請求項２記載の発明によれば、電動送風機を内蔵した掃除機本体と、前記掃除機本体より後方に突出するように配置した車輪と、一端が掃除機本体の前方または上方に接続され、他端側に延長管を接続するホースと、前記延長管に接続する床ノズルを備え、前記掃除機本体の後方を床面側に向かせるスタンド状態において、前記掃除機本体に前記延長管が上方を向いた状態で保持する保持装置を有し、前記保持装置は、前記延長管に設けた係合部と、前記掃除機本体に設けられ、前記係合部と係合する被係合部から構成し、前記スタンド状態では前記係合部が被係合部に係止することなく着脱自在とし、前記掃除機本体をスタンド状態から傾動させると前記係合部が被係合部に係止される構成とすることにより、スタンド収納状態で手元パイプを持っての移動を可能とするとともに、係合部については移動状態の時だけに確実に係止できるようにしたものである。
【００１１】
本発明の請求項３記載の発明によれば、請求項１または２記載の発明において、ホースの他端には延長管と接続する手元パイプを設け、この手元パイプを、塵埃が流れるパイプ部と、このパイプ部から分岐したハンドル部から構成し、前記ハンドル部を前記パイプ部に対し傾動自在に取り付けた構成とすることにより、移動時にはハンドルを手前に倒すことで握り部が逆手になるのを防ぎ、更に操作性を向上させることができる。
【００１２】
本発明の請求項４記載の発明によれば、請求項１または２記載の発明において、ホースの他端には延長管と接続する手元パイプを設け、この手元パイプを、塵埃が流れるパイプ部と、このパイプ部から分岐したハンドル部から構成し、前記ハンドル部を延長管の中心軸に略平行な軸に対し回転自在に取り付けた構成とすることにより、スタンド収納状態での移動時にはハンドルを手前に回転させることで通常の掃除状態と同一のグリップ感覚で楽に操作することを可能としたものである。
【００１３】
本発明の請求項５記載の発明によれば、請求項１乃至４のいずれか１項に記載の発明において、床ノズルに電動機で回転する回転ブラシを設けるとともに、スタンド収納状態から掃除機本体を傾動させた状態で床ノズルが床面に接地する構成としたことにより、スタンド収納状態で移動するときに回転ブラシを駆動すると、床ノズルの自走機能により移動時の操作力をかなり軽減することができるものである。
【００１４】
本発明の請求項６記載の発明によれば、電動送風機を内蔵した掃除機本体と、前記掃除機本体より後方に突出するように配置した車輪と、一端が掃除機本体の前方または上方に接続され、他端側に延長管を接続するホースと、前記延長管に接続する床ノズルを備え、前記掃除機本体の後方に排気する排気口を設けるとともに、前記掃除機本体の上部に前記延長管を係止する係止装置を有し、前記係止装置は、前記掃除機本体をスタンド状態から傾動させて前記排気口が床面に向いた状態において、前記床ノズルが床面に接地するようにしたことにより、スタンド収納状態で移動させながら掃除ができ、いわゆる縦型の掃除機として活用することができ、また、排気を利用することで効率的な掃除ができるものである。
【００１５】
本発明の請求項７記載の発明によれば、請求項６記載の発明において、排気口を掃除機本体の後部に設けたもので、延長管を掃除機本体に係止した状態で床ノズルを床面に接地するようにすれば、掃除機本体の後部の排気口が床面と対向し効率よく排気を床面に吹き付ける。
【００１６】
【実施例】
（実施例１）
以下、本発明の第１，２の実施例を、図１〜４を用いて説明する。
【００１７】
電動送風機等を内蔵した電気掃除機本体（以下本体と称す）１と、ホース２，延長管３，床ノズル４で構成される家庭用電気掃除機において、その基本構成は、ホース２は接続パイプ５により本体１に連結し、他端は手元パイプ６により延長管３に接続される。また、延長管３の先端には床ノズル４が装着されている。前記本体１下部には操舵車輪７を、後部には移動用の後車輪８を両側に本体外郭より後方に突出する位置に配置し、また、本体１後部にはスタンド収納時に前記後車輪８とともに本体を保持するためのレスト９と、電動送風機によって吸引した空気を排気するための排気口１０を設けている。さらに、本体１前部の下方側にはホース２が上を向くように立てたスタンド収納状態で、床ノズル４が床面より浮き上がる状態で保持するように被係合部１１を、一方の延長管３には本体１に固定できる爪１２ａを形成した係合部１２を設け、延長管３の係合部１２と本体１の被係合部１１の係合によりスタンド収納状態を構成する。
【００１８】
前記延長管３の係合部１２は、係合時に本体側になる側に爪１２ａを設け、一方、本体の被係合部１１は本体１とフロントカバー１３によって形成され、入り口部に延長管３の係合部１２を容易に挿入，保持できる様少し大きめの開口があり、奥部には係合部１２を傾けたときに係合部１２の爪１２ａが引っかかる凸部１１ａを構成している。
【００１９】
上記構成による作用は以下の通りである。
【００２０】
延長管３の係合部１２はスタンド収納状態では、係合部１２の爪１２ａは被係合部１１の凸部１１ａから遠ざかり、係止しない構成のため本体への延長管の着脱は容易に行える。また、このスタンド収納状態において車輪８を支点に手元パイプ６を前方に倒すと、係合部１２の爪１２ａが被係合部１１の凸部１１ａに掛かり、延長管３は本体１に係止された状態となり、手元パイプ６による本体移動が可能となる。したがって、本発明は、従来のスタンド収納性を保ちつつ、スタンド収納状態での本体の移動機能を追加したものであり、使い勝手の良い電気掃除機を提案したものである。
【００２１】
なお、本実施例では本体１の下方側に被係合部を設けて、スタンド収納状態で床ノズル４が床面より浮き上がる状態で保持するようにした被係合部を本体１の上部に設けて、本体１を傾動させても床ノズル４が床面に接触することがないようにしても良く、被係合部を設けるための設計自由度が高まる。
【００２２】
（実施例２）
次に本発明の第３の実施例を、図５，６を用いて説明する。なお上記第１の実施例と同一構成部品については同一符号を付して、その説明を省略する。
【００２３】
前記手元パイプ６をハンドル部１４−１とパイプ部１５−１に分割し、ハンドル部１４−１先端にはパイプ部１５−１に軸支される穴１４ａを設け、一方のパイプ部１５−１にはハンドル１４−１を前後方向に回動自在に保持する軸１５ａを設けた構成とする。
【００２４】
上記構成によると、スタンド収納状態で本体１を移動する際に、ハンドル部１４−１を手前に倒すことで移動時のハンドル１４−１の持ち易さを改善することができ、楽に操作することができ、操作性を向上させるものである。
【００２５】
（実施例３）
次に本発明の第３の実施例を、図７，８を用いて説明する。なお上記第１，２の実施例と同一構成部品については同一符号を付して、その説明を省略する。
【００２６】
前記手元パイプ６をハンドル部１４−２とパイプ部１５−２に分割し、ハンドル部１４−２先端には円周方向に凸１４−３を設け、一方のパイプ１５−２には前記ハンドル１４−２の凸１４−３にはまる溝１５−３部を設けた構成とする。
【００２７】
上記構成による作用は、スタンド収納状態で本体１を移動する際に、ハンドル部１４−２をパイプ１５−２に対し回転させることにより、通常の掃除時と同一のグリップ感覚で本体１の移動が可能となり、移動操作がより改善でき移動時の違和感をなくすことができる。
【００２８】
（実施例４）
次に本発明の第４の実施例を、図９を用いて説明する。なお上記実施例と同一構成部品については同一符号を付して、その説明を省略する。
【００２９】
前記床ノズル４に塵埃をかき上げるための回転ブラシ１６と回転ブラシ１６を駆動する電動機１７と、電動機１７の動力を回転ブラシ１６に伝達するベルト１８を設けるとともに、スタンド収納状態での移動において前記回転ブラシ１６が床面に接地する構成とする。また、ハンドル部１４−２には回転ブラシ１６の駆動をＯＮ／０ＦＦするスイッチ１９を配置する。
【００３０】
上記構成による作用は、スタンド収納状態で移動するときにハンドル部１４−２に設けた回転ブラシ１６の０Ｎ／０ＦＦスイッチ１９により０Ｎ状態にすると、回転ブラシ１６が駆動し自走する。この回転ブラシ１６の自走機能を利用することで移動時の操作力を軽減し、また移動時の操作性も向上させることができる。
【００３１】
また、前後の移動方向に合わせて回転ブラシ１６の回転方向を正逆切り替えて、常に移動方向に対して回転ブラシ１６の回転方向を制御すれば前後の操作も軽くできるのはいうまでもない。
【００３２】
（実施例５）
次に本発明の第５の実施例を、図１０を用いて説明する。なお上記第１の実施例と同一構成部品については同一符号を付して、その説明を省略する。
【００３３】
本体１上部に延長管３の係合部１２を固定する被係合部１１（実施例１で述べた被係合部１１と同一構成）を設け、前記被係合部１１に延長管３を係合した時に床ノズル４底面と本体１の後車輪８が床面に接地する構成とする。
【００３４】
上記構成による作用は、延長管３の係合部１２を本体１上部の被係合部１１に固定したスタンド収納状態での移動状態において、本体１を運転すると本体１後部の排気口１０より排出される排気が床面に吹き付けられ、塵埃を床表面にはき上げる。はき上げられた塵埃は床ノズル４により吸引される。したがってスタンド収納状態で掃除ができるいわゆる縦型の掃除機として使用できるとともに、排気を利用して効率的な掃除を可能としたものである。
【００３５】
【発明の効果】
本発明の請求項１記載の発明によれば、スタンド収納状態で手元パイプを持って掃除機本体を移動させることができ、使い勝手を向上できる。
【００３６】
本発明の請求項２記載の発明によれば、スタンド収納状態では、簡単に延長管を掃除機本体から取り外すことができ、掃除機本体を傾動させて移動する場合には係止状態となり使い勝手がより向上する。
【００３７】
本発明の請求項３記載の発明によれば、前記手元パイプをハンドル部とパイプ部に分割し、ハンドル部をパイプ部に対し長手方向に回動自在にした構成とすることにより、移動時にはハンドルを手前に倒すことで操作時にハンドルが逆手になるのを改善し、更に操作性を向上させることができる。
【００３８】
本発明の請求項４記載の発明によれば、前記手元パイプをハンドル部とパイプ部に分割し、ハンドル部を延長管の中心軸に略平行な軸に対し回転自在に軸支した構成とすることにより、移動時にはハンドルを手前に回転させることで通常の掃除状態と同一のグリップ感覚で楽に操作することができ、操作時の違和感をなくすことができる。
【００３９】
本発明の請求項５記載の発明によれば、前記床ノズルにモータで駆動する回転ブラシを設けるとともに、移動状態において前記回転ブラシが床面に接地する構成としたことにより、スタンド収納状態で移動するときに回転ブラシを駆動し、床ノズルの自走機能を利用することで移動時の操作力をかなり軽減することができるものである。
【００４０】
本発明の請求項６及び７記載の発明によれば、本体後部に電動送風機等の排気を排出する排気口を有する本体上部に延長管を固定する被係合部を設け、前記被係合部に延長管を係合した時に床ノズル底面と本体の車輪が床面に接地する構成としたことにより、スタンド収納状態で移動させながら掃除ができ、いわゆる縦型の掃除機として活用することができ、排気を利用して効率的な掃除ができる。
【図面の簡単な説明】
【図１】
本発明の第１の実施例を示す電気掃除機のスタンド収納状態を示す全体側面図
【図２】
同電気掃除機の要部断面図
【図３】
同電気掃除機のスタンド移動状態を示す全体側面図
【図４】
同電気掃除機の要部断面図
【図５】
本発明の第２の実施例を示す電気掃除機のスタンド収納状態での移動状態を示す全体側面図
【図６】
同電気掃除機の要部側面図
【図７】
本発明の第３の実施例を示す電気掃除機のスタンド収納状態での移動状態を示す全体側面図
【図８】
同電気掃除機の要部断面図
【図９】
本発明の第４の実施例を示す電気掃除機のスタンド収納状態での移動状態を示す全体側面図
【図１０】
本発明の第５の実施例を示す電気掃除機のスタンド収納状態での移動状態を示す全体側面図
【図１１】
従来の電気掃除機を示す全体斜視図
【符号の説明】
１    本体
２    ホース
３    延長管
４    床ノズル
５    接続パイプ
６    手元パイプ
１１    被係合部
１１ａ  凸部
１２    係合部
１２ａ  爪
１４−１  ハンドル部
１４ａ  穴
１５−１  パイプ部
１５ａ  軸
１４−２  ハンドル部
１４−３  凸
１５−２  パイプ部
１５−３  溝
１６    回転ブラシ
１７    電動機
【手続補正２】
【補正対象書類名】図面
【補正対象項目名】図１
【補正方法】変更
【補正の内容】
【図１】
2001029279.tif 000001
【手続補正３】
【補正対象書類名】図面
【補正対象項目名】図６
【補正方法】変更
【補正の内容】
【図６】
2001029279.tif 000002